(57)【要約】      （修正有）【課題】下セパレータ上に載置された電極板を位置ズレなどの不具合を生じさせることなく、さらにその上から上セパレータを貼合せることができる積層装置の提供。【解決手段】通液性がある第１のセパレータＳ１を供給する第１セパレータ供給部２と、第１のセパレータＳ１の下面に吸着力を作用させて第１のセパレータＳ１を保持しつつ搬送する保持搬送部３と、保持搬送部３にて保持された第１のセパレータＳ１の上面に電極板Ｐを載置する電極板載置部４と、通液性がある第２のセパレータＳ２を供給する第２セパレータ供給部５と、第１のセパレータＳ１と第２のセパレータＳ２を挟んで保持搬送部３と対向配置されて、第１のセパレータＳ１と第２のセパレータＳ２の間に電極板Ｐが挟まれた状態で第１のセパレータＳ１と第２のセパレータＳ２とを押圧して密着させる押圧密着部６とを備えた、積層装置１。【選択図】図１
2016152178.tif 000002
【特許請求の範囲】
【請求項１】
通液性がある第１のセパレータを供給する第１セパレータ供給部と、
前記第１のセパレータの下面に吸着力を作用させて当該第１のセパレータを保持しつつ搬送する保持搬送部と、
前記保持搬送部にて保持された前記第１のセパレータの上面に電極板を載置する電極板載置部と、
通液性がある第２のセパレータを供給する第２セパレータ供給部と、
前記第１のセパレータと前記第２のセパレータを挟んで前記保持搬送部と対向配置された押圧密着部を備え、
前記第１のセパレータの上面に載置された前記電極板の下面に吸着力を作用させた状態で、前記第１のセパレータＳ１及び前記電極板に前記第２のセパレータを近づけ、押圧して密着させる、積層装置。
【請求項２】
前記保持搬送部は、
前記第１のセパレータの上面に載置される前記電極板の外周縁部よりも内側ないし外側の領域に、前記吸着力を作用させることを特徴とする、請求項１に記載の積層装置。
【請求項３】
前記押圧密着部は、
前記保持搬送部の上面と平行に配置された回転ローラと、
前記回転ローラを前記保持搬送部側に向けて押さえ付けるローラ押付部を備えた、
請求項１又は請求項２に記載の積層装置。
【請求項４】
前記第１セパレータ供給部から供給された前記第１のセパレータの上面に静電気を帯電させる静電気発生部を備えた、請求項１〜３のいずれかに記載の積層装置。
【請求項５】
前記保持搬送部は、
上面に開口部が設けられたサクションチャンバーと、
表裏面を貫通する通気開口部が設けられた無限軌道ベルトと、
前記サクションチャンバーの開口部を横切るように前記無限軌道ベルトを回転駆動させる回転駆動機構とを備え、
前記第１セパレータの下面と前記無限軌道ベルトの上面とが接触する区間において、前記無限軌道ベルトの通気開口部が負圧状態となることで、前記第１セパレータの下面および当該第１セパレータの上面に載置された前記電極板の下面に吸着力を作用させて当該第１セパレータを保持しつつ搬送することを特徴とする、請求項１〜４のいずれかに記載の積層装置。
【請求項６】
前記電極板には、前記第１のセパレータの幅方向よりも外側に突出した集電部が備えられており、
前記保持搬送部は、前記集電部の下面にも吸着力を作用させることを特徴とする、
請求項１〜５のいずれかに記載の積層装置。
【請求項７】
前記第２セパレータ供給部と前記押圧密着部との間に、供給される第２セパレータの経路を変更する第２セパレータ供給経路変更部を備えた、請求項１〜６のいずれかに記載の積層装置。
【請求項８】
前記電極板が挟まれた状態で押圧され密着状態となった前記第１のセパレータと前記第２のセパレータを加熱して溶着させる加熱溶着部を備えた、請求項１〜７のいずれかに記載の積層装置。
【発明の詳細な説明】
【技術分野】
【０００１】
本発明は、キャパシタや二次電池の製造工程において、長尺シート状の通液性があるセパレータを巻出供給しながら、当該セパレータ上の所定の位置に電極板を載置し、さらにその上から長尺シート状の別のセパレータを巻出供給しながら貼合せを行う、積層装置に関する。
【背景技術】
【０００２】
従来より、二次電池の製造工程において、間欠的に連続供給された上下セパレータの間に、正極電極板と負極電極板を所定の間隔でそれぞれ載置し、ニップロールで上下セパレータ同士を搬送しながら貼合せるという技術が採用されていた。（例えば、特許文献１）
【０００３】
この技術では、搬送コンベアにて搬送される下セパレータの上に電極板を載置した後、搬送コンベアに備えられたサポート部材により当該電極板を下方に押さえ付け、下セパレータに載置した状態で位置ズレがしないように保持されていた。そして、電極板に上セパレータを徐々に近づけ、ニップロールで挟み込んで下セパレータと貼り合わせされる直前に、サポート部材による電極板の押さえ付けを解除して、サポート部材が上セパレータやニップロールに接触しないようにしていた。
【先行技術文献】
【特許文献】
【０００４】
【特許文献１】特開２００９−９９１９号公報
【発明の概要】
【発明が解決しようとする課題】
【０００５】
上下セパレータは、電解液を含浸させるために通液性を備えているが、電解液のイオン透過性能が損なわれることを防ぐため、電極板と直接触れ合う部分には接着剤などは塗布されていない。また、電極板は薄い金属箔の両面に電極材料が塗布・乾燥されたもので、軽くて変形しやすい。そのため、サポート部材による下セパレータに向かって電極板を押さえ付ける力が解除されてしまうと、電極板の端部が下セパレータから離れやすくなる。
【０００６】
その様な状態で電極板に上セパレータを徐々に近づけ、ニップロールで上下セパレータを挟み込むと、電極板の端部が上セパレータに押されて電極板が位置ズレしたり、電極板にしわが生じたり、電極板の端部が折れ曲がったりするなど不具合を生じることがあり、製造工程内での良品歩留まりを下げる要因となっていた。
【０００７】
そこで、本発明は、下セパレータ上に載置された電極板が搬送中に離れないよう保持し続け、位置ズレなどの不具合を生じさせることなく、さらにその上から上セパレータを貼合せることができる、積層装置を提供することを目的とする。
【課題を解決するための手段】
【０００８】
以上の課題を解決するために、本発明に係る一態様は、
第１のセパレータ（下セパレータ）を供給する第１セパレータ供給部と、
第１のセパレータの下面に吸着力を作用させて当該第１のセパレータを保持しつつ搬送する保持搬送部と、
保持搬送部にて保持された第１のセパレータの上面に電極板を載置する電極板載置部と、
第１のセパレータとは別の第２のセパレータ（上セパレータ）を供給する第２セパレータ供給部と、
保持搬送部と対向配置されて、第１のセパレータと第２のセパレータの間に電極板が挟まれた状態で当該第１のセパレータと当該第２のセパレータとを押圧して密着させる押圧密着部とを備えた、積層装置である。
【０００９】
この態様によれば、下セパレータの下面に吸着力を作用させつつ、下セパレータの上面とその上に貼り付けた電極板に対して吸着力を作用させたまま、さらにその上から上セパレータを貼り付けることができる。
【発明の効果】
【００１０】
下セパレータ上に載置された電極板を位置ズレなどの不具合を生じさせることなく、さらにその上から上セパレータを貼合せることができる。
【図面の簡単な説明】
【００１１】
【図１】本発明を具現化する形態の一例の全体構成を示す側面図である。
【図２】本発明を具現化する形態の一例の要部を示す斜視図である。
【図３】本発明を具現化する形態の別の一例の全体構成を示す側面図である。
【図４】本発明を具現化する形態のさらに別の一例の要部を示す側面図である。
【発明を実施するための形態】
【００１２】
以下に、本発明を実施するための形態について、図を用いながら説明する。
以下各図においては、直交座標系の３軸をＸ、Ｙ、Ｚとし、ＸＹ平面を水平面、Ｚ方向を鉛直方向とする。特にＸ方向は矢印の方向を搬送方向下流側、その逆方向を搬送方向上流側と表現し、Ｚ方向は矢印の方向を上、その逆方向を下と表現する。また、Ｙ方向は幅方向と表現する。
【００１３】
図１は、本発明を具現化する形態の一例の全体構成を示す側面図である。本発明に係る積層装置１は、第１セパレータ供給部２と、保持搬送部３と、電極板載置部４と、第２セパレータ供給部５と、押圧密着部６とを備えて構成されている。この積層装置１は、第１のセパレータ（つまり、下セパレータ）Ｓ１を供給しながらその上に電極板Ｐを載置し、さらにその上から第２のセパレータ（つまり、上セパレータ）Ｓ２を供給しながら重ね合わせることで、第１のセパレータＳ１と第２のセパレータＳ２との間に電極板Ｐが挟みまれた状態で互いに押圧され密着した積層状態となるように貼り合わせるものである。第１のセパレータＳ１及び第２のセパレータＳ２は、通液性があり、ひいては通気性もある。
【００１４】
第１セパレータ供給部２は、第１のセパレータＳ１を供給するものである。具体的には、第１セパレータ供給部２は、供給リール２１と、巻出器２２とを含んで構成されている。
【００１５】
供給リール２１は、長尺の第１のセパレータＳ１が巻き付けられたものである。具体的には、供給リール２１は、長尺の第１のセパレータＳ１の幅方向に延びた円筒状のシャフトで構成されている。
【００１６】
巻出器２２は、供給リール２１を回転させて長尺の第１のセパレータＳ１を引き出すものである。具体的には、巻出器２２は、サーボモータにより能動的に供給リール２１を回転させるものや、パウダークラッチと呼ばれるクラッチ機構により張力を調整しつつ受動的に供給リール２１を回転させるものが例示できる。
【００１７】
第１セパレータ供給部２には、必要に応じて、供給される第１のセパレータにしわや弛みが発生するのを防ぐ手段である、サポートローラ２５や、張力調整機構（例えば、エアダンサーや押さえローラなど：不図示）などを備えた構成としても良い。
【００１８】
保持搬送部３は、第１のセパレータＳ１の下面に吸着力を作用させて当該第１のセパレータＳ１を保持しつつ搬送するものである。
【００１９】
具体的には、保持搬送部３は、サクションコンベア３０にて具現化することができる。サクションコンベア３０は、バキュームコンベアとも呼ばれ、サクションチャンバー３１と、サクションベルト３２と、回転駆動機構３３と、負圧発生器（不図示）とを含んで構成されている。
【００２０】
サクションチャンバー３１は、上部に開口部３１ｈが設けられた筐体により構成されており、筐体の側面又は下面には吸引ポート３１ｐが設けられている。開口部３１ｈは、第１のセパレータＳ１に電極板Ｐが載置され、後述する押圧密着部６で第２のセパレータＳ２と押圧・密着されるまでの区間ないし加熱溶着部８で加熱・溶着されるまでの区間の、第１のセパレータＳ１の幅方向に亘る領域において、筐体上面を大きくくり抜いたものや、筐体上面に多数の貫通孔や貫通溝を設けたものが例示できる。吸引ポート３１ｐは、外部の負圧発生器と接続されている。そのため、サクションチャンバー３１では、開口部３１ｈから筐体内に大気が吸い込まれ、吸い込まれた大気は吸引ポート３１ｐを通じて筐体外へ排出される。負圧発生器（不図示）は、ブロワ、エジェクタ、真空ポンプなどを用いて構成することができる。
【００２１】
サクションベルト３２は、その上面と第１のセパレータＳ１の下面と直接触れ合い、接触した部分に吸着力を作用させ、その吸着力が作用した状態で所定の方向ｖに移動することで、第１のセパレータＳ１を所定の方向ｖに搬送するものである。具体的には、サクションベルト３２は、表裏面を貫通する通気開口部３２ｈが設けられた無限軌道ベルトで構成されており、回転駆動機構３３により予め規定された無限軌道を回転しながら移動する。サクションベルト３２の具体例としては、ゴム、樹脂、薄い金属などの可撓性材料からなる平ベルトに多数の貫通孔を設けたものが例示できる。
【００２２】
サクションベルト３２の通気開口部３２ｈ（詳細は後述する）は、サクションベルト３２がサクションチャンバー３１の開口部３１ｈに覆い被さっている区間にあるときは、サクションチャンバー３１の筐体内部と連通する状態（つまり、負圧状態）となり、それ以外の区間にあるときは、大気と連通する状態（つまり、大気圧状態）となる。
【００２３】
回転駆動機構３３は、サクションベルト３２を予め規定された無限軌道にて所定の方向ｖに回転させるものである。より具体的には、回転駆動機構３３は、１組の回転ローラ３４ａ，３４ｂと、回転ローラ３４ａ，３４ｂの少なくとも一方を回転駆動させる駆動モータ（不図示）を含んで構成されている。さらに、各回転ローラ３４ａ，３４ｂは、サクションベルト３２がサクションチャンバー３１の開口部３１ｈに覆い被さりつつ横切るように配置されている。
【００２４】
サクションコンベア３０は、第１セパレータＳ１の下面とサクションベルト３２の上面とが接触する区間の内、サクションベルト３２の下方にサクションチャンバー３１の開口部３１ｈが配置された区間Ｌにおいて、サクションベルト３２の通気開口部３２ｈとサクションチャンバー３１の筐体内部の空間が負圧状態となる。この区間Ｌにおいて、第１のセパレータＳ１の下面には吸着力が作用している。そのため、サクションベルト３２にて第１のセパレータＳ１を保持しつつ搬送することができる。
【００２５】
なお、サクションコンベア３０は、所定の送り量ずつ搬送／停止を繰り返す定寸送りや、一定速度で駆動し続ける連続送りにて、搬送を行う。
【００２６】
電極板載置部４は、保持搬送部３にて保持された第１のセパレータＳ１の上面に電極板Ｐを載置するものである。
具体的には、電極板載置部４は、搬送ロボット４０と、その先端に取り付けた移載プレート４１又は移載ハンドなどを備えている。
搬送ロボット４０は、移載プレートをＸＹＺ方向に移動させるものである。
移載プレート４１は、下面側が電極板Ｐの上面と接触し、接触部分を負圧吸引するなどして電極板Ｐを保持したり、吸引解除にて保持解除するものである。より具体的には、移載プレート４１は、下面側が平坦な板材に負圧吸引のための細溝または細孔が備えられ、これら細溝または細孔は、不図示の切替バルブなどを介して負圧発生源、圧空源、大気と連通する構成をしている。
【００２７】
電極板載置部４は、次の様な動作を搬送ロボット４０にさせることで、電極板Ｐを載置する。例えば、サクションコンベア３０が定寸送りの場合、静止しているサクションベルト上に移載プレート４１を下降させる。或いは、サクションコンベア３０が連続送りの場合、移載プレート４１を移動しているサクションベルト３２の移動速度に同期してＸ方向に移動させつつ下降させる。
【００２８】
このとき、第１のセパレータＳ１が通気性を有するため、電極板Ｐも負圧吸引される。
【００２９】
第２セパレータ供給部５は、第１のセパレータＳ１とは別の第２のセパレータＳ２を供給するものである。具体的には、第２セパレータ供給部５は、供給リール５１と、巻出器５２とを含んで構成されている。また、必要に応じて、折り返しローラ５５や、張力調整機構などを備えた構成としても良い。なお、各構成は、第１セパレータ供給部２のそれらと同様の構成とすることができ、詳細な説明は省略する。
【００３０】
押圧密着部６は、第１のセパレータＳ１及び第２のセパレータＳ２の搬送ラインを挟むように保持搬送部３と対向配置されており、第１のセパレータＳ１と第２のセパレータＳ２の間に電極板Ｐが挟まれた状態で当該第１のセパレータＳ１と当該第２のセパレータＳ２とを押圧して密着させるものである。
【００３１】
具体的には、押圧密着部６は、回転ローラ６１と、ローラ押付部６２とを含んで構成されている。
【００３２】
回転ローラ６１は、第２のセパレータＳ２の上面と接触しつつ、第１セパレータＳ１ないし第２のセパレータＳ２の搬送に伴って回転するものである。ローラ押付部６２は、第１セパレータＳ１ないし第２のセパレータＳ２を搬送させる間、回転ローラ６１をサクションコンベア３０のサクションベルト３２に向けて押圧するものである。
【００３３】
本発明に係る積層装置１は、この様な構成をしているため、第１のセパレータＳ１の下面に吸着力を作用させつつ、第１のセパレータＳ１の上面とその上に貼り付けた電極板に対して吸着力を作用させたまま、さらにその上から第２のセパレータＳ２タを貼り付けることができる。その結果、第１のセパレータＳ１上に載置された電極板を位置ズレさせることなく、さらにその上から第２のセパレータＳ２を貼合せることができる。
【００３４】
［サクションベルトの通気開口部］
図２は、本発明を具現化する形態の一例の要部を示す斜視図であり、サクションベルト３２に設けられた通気開口部３２ｈの具体的な配置例が図示されている。
【００３５】
通気開口部３２ｈは、第１のセパレータＳ１に電極板Ｐが載置される領域（つまり、電極板の外周端部Ｐｅの配置位置で囲まれた内側の領域）ないし、それよりも多少広い目の領域（つまり、外側の領域）に、多数の貫通孔や貫通溝が設けられている。そして、通気開口部３２ｈの下方に、サクションチャンバー３１の開口部３１ｈが配置されている。
【００３６】
特に、開口部３１ｈならびにサクションベルト３２の通気開口部３２ｈが、第１のセパレータＳ１の上面に載置される電極板Ｐの外周縁部Ｐｅよりも外側に配置されている方が、電極板Ｐの外周縁部Ｐｅにまで吸着力が作用するため、外周端部Ｐｅの剥離に起因したしわや折れ曲がりの発生を防ぐことができ、より好ましいと言える。
【００３７】
但し、外周端部Ｐｅの剥離が懸念されない程度であれば、保持搬送部３において、サクションチャンバー３１の筐体上部に設けられた開口部３１ｈならびにサクションベルト３２の通気開口部３２ｈは、第１のセパレータＳ１の上面に載置される電極板Ｐの外周縁部Ｐｅと同じ位置よりも、内側のみに配置されていても良い。
【００３８】
［別の形態］
なお、電極板には、第１のセパレータＳ１の幅方向よりも外側に突出した集電部が備えられているので、図２に示す様に、サクションベルト３２には、集電部が載置される領域に、通気開口部３２ｈ２を備えておくことが好ましい。この場合、サクションチャンバー３１の開口部３１ｈは、第１のセパレータＳ１端部よりも集電部側の幅方向に広幅としておく。もしくは、集電部の突出した幅部分を独立して負圧吸引する個別チャンバーを備えた構成としても良い。そして、通気開口部３２ｈ２における負圧吸引力を、通気開口部３２ｈにおける負圧吸引力よりも強く設定しておく。そうすることで、電極板Ｐの集電部が、サクションベルト３２と密着状態となり、押圧密着部６を通過する際に折れ曲がったり、しわが発生したりすることを防ぐことができる。
【００３９】
［別の形態］
上述では、押圧密着部６の一類型として、回転ローラ６１とローラ押付部６２を含んで構成されたものを用い、全面を押圧して密着させる形態を例示した。
【００４０】
しかし、この様な構成に限定されず、１つ又は複数のブレード、エアナイフ、スポンジロール、ブラシロール、拍車（スパー:spur）等、又はこれらを組み合わせたものにより押圧密着部を構成しても良い。そして、これら押圧密着部を構成する上記部品は、幅方向の全長にわたって均等な押し付け力が作用するように接触させても良いし、ストライプ状に間引きされた状態、幅方向の左端・中央・右端のみ、幅方向の左端・右端のみを押さえ付けるなどで接触させても良く、適宜設定すれば良い。
【００４１】
［別の形態］
本発明を具現化する上では、上述の構成に加え、静電気発生部７を備えた構成としても良い。静電気発生部７は、第１セパレータ供給部２から供給された第１のセパレータＳ１の上面に静電気を帯電させるものである。
【００４２】
具体的には、静電気発生部７は、プラス又はマイナスに帯電させたエアを、第１のセパレータＳ１に向けて吹き付けるものが例示できる。第１のセパレータＳ１は、上面がプラス又はマイナスに帯電した状態で、サクションコンベアにて搬送される。このとき、セパレータは絶縁性の材料であれば、上面が帯電した状態で電極板Ｐが載置される。この際、第１のセパレータＳ１の上面に載置された電極板Ｐの下面は、帯電した静電気の力により吸着力が増すため、位置ズレなどを防ぐ効果を奏する。
【００４３】
また、第１のセパレータＳ１の通気性が乏しい場合であっても、第１のセパレータＳ１の上面に載置された電極板Ｐの下面には、吸着力が作用するため、第２のセパレータＳ２を近づけ、押圧して密着させる際に、位置ズレなどを防ぐ効果を奏する。
【００４４】
［別の形態］
上述では、保持搬送部３の一類型として、サクションコンベア３０を備えた構成を例示して説明した。しかし、保持搬送部３はこの様な構成に限らず、平板のテーブルと、このテーブルに吸着力を作用／解除させる機構と、このテーブルをＸ方向に往復移動させる機構を備えた構成としても良い。つまり、上述の図１に示した区間Ｌに対応する区間おいて、第１のセパレータＳ１と平板のテーブルとの間に負圧吸引による吸着力を作用させてこのテーブルを下流側に移動させ、所定の寸法だけ搬送した後、搬送を停止させ、テーブルの負圧吸引による吸着力を解除する。そして、第１及び第２のセパレータの搬送が止まった状態で、テーブルのみを上流側に移動させて停止させる。そして再びテーブルに負圧吸引による吸着力を作用させ下流側へ移動させる。この動作を繰り返すことで、定寸送りによる搬送ができる。
【００４５】
なお、上述では、保持搬送部のサクションコンベア３０や平板のテーブルは、負圧吸引により吸着力を作用させたり解除ができる構成を示したが、静電チャックを用いて、静電吸着による吸着力を作用させたり解除ができる構成としても良い。
【００４６】
［別の形態］
本発明に係る積層装置は、上述の各構成に限らず、さらに加熱溶着部８を備えた構成としても良い。加熱溶着部８は、電極板Ｐが挟まれた状態で押圧され密着状態となった第１のセパレータＳ１と第２のセパレータＳ２を加熱して溶着させるものである。
【００４７】
具体的には、定寸送りにて搬送されている場合、加熱溶着部８は、ヒータプレート８０と、ヒータと、アクチュエータとを備えた構成としておく。ヒータプレート８０は、サクションコンベア３０と対向配置されており、第２のセパレータＳ２と直接触れ合い、第１のセパレータＳ１、第２のセパレータＳ２ならびに電極板Ｐを加熱し、それらを溶着させるものである。ヒータは、ヒータプレートを加熱するものである。具体的には、ヒータは、ヒータプレート内に埋め込まれたセラミックヒータなどで構成する。アクチュエータは、ヒータプレート８０をサクションコンベア３０側に近づけたり、離間したりするものである。
【００４８】
なお、連続送りにて搬送されている場合、加熱溶着部８は、ヒータを備えた回転ローラ又は表面が滑らかな非回転の部材とと、ローラ押さえ手段とを備えた構成としておく。ローラ押さえ手段は、回転ローラ又は非回転の部材を、サクションコンベア３０側に押し付けるものである。
【００４９】
本発明に係る積層装置は、加熱溶着部８を備えることで、その上流側で第１のセパレータＳ１上に載置された電極板を位置ズレさせることなく第２のセパレータＳ２とで挟んで密着状態にしておくことができ、その状態を保ったまま、第１のセパレータＳ１と第２のセパレータＳ２を加熱して溶着させることができる。
【００５０】
［別の形態］
本発明に係る積層装置は、上述の構成に限らず、図３に示す様な構成としても良い。
図３は、本発明を具現化する形態の別の一例の全体構成を示す側面図である。本発明に係る積層装置１Ｂは、上述した積層装置１の保持搬送部３とは異なる構成の、保持搬送部３Ｂを備えて構成されている。
【００５１】
保持搬送部３Ｂは、上述のサクションコンベア３０とは異なる構成の、サクションコンベア３０Ｂを備えて構成されている。サクションコンベア３０は、区間Ｌにおいて内部が連通する１つのチャンバー構造をしているのに対し、サクションコンベア３０Ｂは、上下流方向に区分けされたチャンバー群で構成されている。
【００５２】
例えば、電極板Ｐを載置する区間Ｌ１、電極板Ｐの搬送方向下流側で第２のセパレータＳ２越しに押圧密着部６で押圧される部分から上流側に電極板Ｐの搬送方向長さ相当の区間Ｌ２、加熱溶着部８と対向する区間Ｌ３に区分けし、それぞれ独立したチャンバーもしくは隔壁で区分けされたチャンバーとし、それぞれに吸引ポート３１ｐ１〜３１ｐ３を備え、それぞれ個別に圧力調整を行う。そうすれば、区間Ｌ１，Ｌ３に電極板Ｐが載置されていない状態でも、第２のセパレータＳ２を貼り合わせる際に、区間Ｌ２で第１のセパレータＳ１と電極板Ｐに作用する負圧吸引力が低下せず、位置ズレを防ぐことができる。
【００５３】
なお、区間Ｌ２は、押圧密着部６で押圧される部分から上流側に電極板Ｐの搬送方向と同じ長さでも良いし、多少短くても長くても良い。つまり、設定された区間Ｌ２での負圧吸引力が十分あり、電極板Ｐの端部ＰｅがのセパレータＳ２越しに押圧密着部６で押圧された際に、電極板Ｐが位置ズレ等しない程度の負圧吸引力が作用する状態であれば良い。
【００５４】
［別の形態］
本発明に係る積層装置は、上述の構成に限らず、図４に示す様な構成を備えても良い。
図４は、本発明を具現化する形態のさらに別の一例の要部を示す側面図であり、上述の積層装置１とは異なる構成の、積層装置１Ｃの要部が示されている。積層装置１Ｃは、上述の積層装置１に加えて、第２セパレータ供給角度経路変更部９が備えられている。
【００５５】
第２セパレータ供給経路変更部９は、第２のセパレータＳ２の搬送経路を、実線で示す位置ないし破線Ｓ２’で示す位置の間で変更するものである。具体的には、第２セパレータ供給経路変更部９は、第１サブローラ９１、第２サブローラ９２、サブローラ位置変更機構９４を含んで構成されている。
【００５６】
第１サブローラ９１は、折り返しローラ５５と押圧密圧部６との間に配置されている。第２サブローラ９２は、巻出器５２と折り返しローラ５５との間に配置されている。
【００５７】
サブローラ位置変更機構９４は、サクションベルト３２の駆動に連動して、第１サブローラ９１と第２サブローラ９２とを、共に上下方向に位置変更させるものである。例えば、サブローラ位置変更機構９４は、電極板Ｐの端部Ｐｅが回転ローラ６１により押圧されるタイミングを見計らって、第１サブローラ９１と第２サブローラ９２とを一体的に下方へ移動させ、第２セパレータＳ２を電極板Ｐに近づける。或いは、電極板Ｐの端部Ｐｅを検出するセンサーを備え、電極板Ｐの端部Ｐｅを検出したタイミングと、サクションベルト３２の駆動速度に基づいて、サブローラ位置変更機構９４の上下動を行う構成としても良い。
【００５８】
この様な構成にしておくことで、電極板Ｐの搬送方向下流側にある端部に、押圧密着部６による押付力が作用される際に、電極板Ｐの上面から第２のセパレータＳ２を覆い被せるように近づけ、電極板Ｐが位置ズレしようとするのを未然に防ぐことができる。そして、電極板Ｐの上面に第２のセパレータＳ２が密着された後は、サブローラ位置変更機構９４を上方に移動させておき、次の下降タイミングを待つ。以下、第１及び第２のセパレータＳ１，Ｓ２を搬送させながら、電極板Ｐの有無に同期させて、第２セパレータＳ２を下方に移動させて電極板Ｐに近づけたり、上方に移動させて待機状態としたりすることができる。その上、第１及び第２サブローラ９１，９２が同時に上下動するため、搬送される第２のセパレータＳ２の経路長を一定に保ちつつ、上記動作を行うことができる。よって、セパレータの搬送速度が上がっても、確実に第２のセパレータＳ２の搬送経路長を一定に保つことができるので、好ましい。
【００５９】
なお、上記構成に限らず、第１サブローラ９１のみをサブローラ位置変更機構９４にて上下動させる構成とし、第２サブローラ５７を別個に移動制御したり、第２サブローラ５７を省いて巻出器５２の回転数を制御したりして、第２のセパレータＳ２の搬送経路長を一定に保つ構成にしても良い。
【符号の説明】
【００６０】
１    積層装置
２    第１セパレータ供給部
３    保持搬送部
４    電極板載置部
５    第２セパレータ供給部
６    押圧密着部
７    静電気発生部
８    加熱溶着部
２１    供給リール
２２    巻出器
２５    サポートローラ
３０    サクションコンベア
３０Ｂ  サクションコンベア
３１    サクションチャンバー
３１ｈ  開口部
３１ｐ  吸引ポート
３２    サクションベルト
３２ｈ  通気開口部
３２ｈ２  通気開口部（集電部吸引用）
３３    回転駆動機構
３４ａ，３４ｂ  回転ローラ
４０  搬送ロボット
４１  移載プレート
５１  供給リール
５２  巻出器
５５  折り返しローラ
９１  第１サブローラ
９２  第２サブローラ
９４  サブローラ上下動機構
６１  回転ローラ
６２  ローラ押付部
Ｓ１  第１のセパレータ
Ｓ２  第２のセパレータ
Ｓ２’  第２のセパレータ（経路変更後の位置）
Ｐ    電極板
Ｐｅ  電極板の端部
Ｌ    区間
ｖ    搬送方向
【図１】
2016152178.tif 000003
【図２】
2016152178.tif 000004
【図３】
2016152178.tif 000005
【図４】
2016152178.tif 000006